(57)【要約】【課題】  幼児期における子供の気持ちを絵本における物語の中に容易に取り込むことができて、かつ同子供が絵本に登場しているキャラクタになったつもりで物語を聞くことができる絵本を提供できるようにする。【解決手段】  絵本１における所定のページシート２に形成している凹所５に、同絵本１に登場しているキャラクタ３の少なくともキャラクタ３が顔に付けているマスクと略同じ形状で、かつ幼児期における子供の顔に翳して面遊びができる大きさに形成しているプレート４を係止収容しておく。  これにより、絵本を読む際、プレート４を凹所５から取り外して同プレート４を同子供が自分の顔に翳すことにより、子供が絵本１に登場しているキャラクタ３になったつもりで物語を聞くことができる。【選択図】  図２
2010012706.tif 000002
【特許請求の範囲】
【請求項１】
絵本における所定のページシートに形成している凹所に、同絵本に登場しているキャラクタの少なくともキャラクタが顔に付けているマスクと略同じ形状で、かつ幼児期における子供の顔に翳して面遊びができる大きさに形成しているプレートを係止収容していて、絵本を読む際、プレートを前記凹所から取り外して同プレートを同子供が自分の顔に翳すことにより、子供が絵本に登場しているキャラクタになったつもりで物語を聞けるように構成してなる絵本。
【請求項２】
前記ページシートの凹所に隣接する縁部に、プレートの縁部に指先を掛けて前記プレートを取り外すための切り欠きを形成してなる請求項１に記載の絵本。
【請求項３】
前記凹所の内底にプレートに描かれているイラストと略同じイラストを描いてなる請求項１に記載の絵本。
【請求項４】
前記プレートに覗き窓を形成してなる請求項１に記載の絵本。
【請求項５】
前記プレートに持ち手を設けてなる請求項１に記載の絵本。
【請求項６】
前記持ち手に通孔を形成してなる請求項５に記載の絵本。
【発明の詳細な説明】
【技術分野】
【０００１】
本発明は、遊び心を持たせている幼児期における子供用の絵本に関し、より詳しくは、絵本の物語を聞く同子供が、この絵本に登場しているキャラクタになったつもりで物語を聞けるようにした絵本に関する。
【背景技術】
【０００２】
従来、絵本は文字で書かれた物語の筋と背景の絵から構成されていて、幼児期の子供でもその物語の内容を大に理解できるようにしている。
【０００３】
また、絵本には（例えば、特許文献１参照）のように絵本とジグソーパズルを組み合わせて構成しているものもある。
【０００４】
このような絵本は、絵本の物語を聞く子供が同絵本に組み合わされているパズルを完成させて行くことによって子供の気持ちを同物語の中に取り込むようにして、子供が絵本の物語を楽しく理解できるようにしている。
【０００５】
しかしながら、幼児期の子供は本能における行動が大であることから、絵本の物語を聞く子供に絵本に組み合わされているパズルを完成させて行くようにしたものでは、同子供の気持ちを物語の中に取り込むのは難しかった。
【０００６】
【特許文献１】実開平６−１７７９８号公報（第１〜３頁、図１〜６）
【発明の開示】
【発明が解決しようとする課題】
【０００７】
本発明は、幼児期における子供の気持ちを絵本における物語の中に容易に取り込むことができて、かつ同子供が絵本に登場しているキャラクタになったつもりで物語を聞くことができる絵本を提供できるようにした。
【課題を解決するための手段】
【０００８】
上述した課題を解決するために、本発明に係る絵本は、絵本における所定のページシートに形成している凹所に、同絵本に登場しているキャラクタの少なくともキャラクタが顔に付けているマスクと略同じ形状で、かつ幼児期における子供の顔に翳して面遊びができる大きさに形成しているプレートを係止収容していて、絵本を読む際、プレートを前記凹所から取り外して同プレートを同子供が自分の顔に翳すことにより、子供が絵本に登場しているキャラクタになったつもりで物語を聞けるように構成したものとしてある。
【０００９】
前記ページシートの凹所に隣接する縁部に、プレートの縁部に指先を掛けて前記プレートを取り外すための切り欠きを形成したものとしてある。
【００１０】
また前記凹所の内底にプレートに描かれているイラストと略同じイラストを描いたものとしてある。
【００１１】
また前記プレートに覗き窓を形成したものとしてある。
【００１２】
また前記プレートに持ち手を設けたものとしてある。
【００１３】
さらに前記持ち手に通孔を形成したものとしてある。
【発明の効果】
【００１４】
本発明の絵本によれば、絵本に、同絵本に登場しているキャラクタが顔に付けているマスクと略同じ形状のプレートすなわちお面を所定のページシートに着脱可能に設けているので、子供に同絵本の物語を読んで聞かせる際にそのプレートを取り外し、子供が自分の顔に翳すように持たせてやることで、例えば、芸能等において面を付けて演じられる演劇で、役者が面を付けることでその役に大に嵌って行くことからも、前述のようにプレートを子供が自分の顔に翳すことで同子供の気持ちを絵本における物語の中に容易に取り込むことができる。
【００１５】
そして、特に素直な気持ちを表現することができる幼児期における子供がプレートを自分の顔に翳すことで、その子供は大に絵本に登場しているキャラクタになったつもりで絵本の物語を聞くことができる。
【発明を実施するための最良の形態】
【００１６】
以下、本発明の絵本の具体例を添付図面に基づいて説明する。
【００１７】
本発明に係る絵本１における図１、図２に示している絵本１は、物語を記述しているページシート２に登場しているキャラクタ３が顔に付けているマスクと同じ形状のプレート４を、前記物語を記述しているページシート２とは別のページシート２に形成した凹所５に係止収容している一例である。
【００１８】
また、本発明に係る絵本１における図３、図４に示している絵本１は、物語を記述しているページシート２に登場しているキャラクタ３が顔に付けているマスクを取り外せるようにしていて、このマスクが同じ形状のプレート４として同ページシート２に形成している凹所５に係止収容している一例である。
【００１９】
このプレート４は、幼児期における子供の顔に翳すことができる大きさにしていて、すなわち、子供がお面として遊ぶことができるようにしている。
【００２０】
また、図３、図４に示している絵本１の場合は、プレート４を係止収容している凹所の内底にこのプレート４に描かれているイラストすなわちキャラクタ３が顔に付けているマスクと同じ色彩のマスクを描いていて、凹所からプレート４を取り外してもキャラクタ３が顔に付けているマスクの色彩や形状が分るようにしている。
【００２１】
そして、図２、図４に示すように、プレート４にはこのプレート４に描かれているキャラクタの目に相当する位置に覗き窓７を設ける場合もある。
【００２２】
また、覗き窓７は単に穴をあけて構成するだけではなく、図４に示すように、同覗き窓７に、透明や半透明の有色あるいは無色の素材を用いて眼鏡レンズやサングラスを模したものを設ける場合もある。素材の例としては、紙、セロハンやプラスチック類が挙げられる。さらに左右を異なる色で構成したアナグリフグラスや左右で偏光方向を異ならしめた偏光グラスで３次元映像視聴用の眼鏡としたり、フレネルレンズを用いて虫眼鏡として使用できるようにしたりする場合がある。
【００２３】
この覗き窓７は、キャラクタの目に相当する位置に設けるだけではなく、鼻や口等、絵本に登場しているキャラクタや物語の場面に合わせた位置に設けたり、また複数設け場合もある。
【００２４】
さらにプレート４には、子供がこのプレート４を安定して持てるように持ち手８を設ける場合もあり、また、持ち手８の先端付近にはこの持ち手８の表裏に貫通する通孔９を設けて指を掛けられるようにする場合もある。
【００２５】
この持ち手８を、プレート４に複数設けて、両手で持ったり、持ち替えてプレートの向きを替えたりできるように、あるいは、子供が自分の顔に翳すのを補助できるようにする場合もある。
【００２６】
また、通孔９は指の腹よりも小なる広さにして、この持ち手８を親指と人差し指で摘み持った際の滑り止めとして機能させるようにする場合もある。
【００２７】
さらに、通孔９に輪ゴムや紐を通して、子供の耳に引っ掛けたり、頭の後ろで結んで留められるようにする場合もある。
【００２８】
また、プレート４のまわりに、布やその他の素材で、絵本に登場しているキャラクタが着用する衣装の一部やリボン等の飾りを設ける場合もある。
【００２９】
そして、ページシート２のプレート４を係止収容する凹所５に隣接している縁部に、前記プレートを取り外すための切り欠き６を形成する場合もある。
【００３０】
この切り欠き６は、打ち抜きによって形成され凹所５にぴったりと嵌って取り出し難くなっているプレート４を同凹所５から取り出す際に、この切り欠き６を通して同切り欠き６内に挿入した指先やまた爪をプレート４の縁部に掛けられるようにして、プレート４を取り出し易すいようにしているものである。
【００３１】
この絵本１のページシート２は、図５に示すように、物語の文章やキャラクタ３を印刷する印刷紙２ａの間に台紙２ｂを挟んで構成していて、プレート４が設けられるページシート２は、台紙２ｂ面が、印刷紙２ａを型抜きして形成しているプレート４を係止収容する凹所５の底になるようにしている。
【００３２】
そして絵本１は、図６に示すように、前述するページシート２を複数枚積層してこの積層したページシート２の上下に表紙１０を設けて構成している。
【００３３】
また、ページシート２やプレート４を紙以外の素材、例えば布やプラスチック類で構成する場合もある。そして、プレート４を凹所５に収まっているときにぴったり嵌まるように形成しないときは、プレート４をページシート２に係止収容するために、プレート４とページシート２に着脱可能な係止具として面ファスナーや磁石等を設けて係止収容させる場合もある。
【図面の簡単な説明】
【００３４】
【図１】本発明に係る絵本の一例を示す斜視図。
【図２】図１の絵本からプレートを取り外した状態を示す斜視図。
【図３】本発明に係る絵本の一例を示す斜視図。
【図４】図３の絵本からプレートを取り外した状態を示す斜視図。
【図５】ページシートにおける凹所部分の断面図。
【図６】絵本の一部拡大側面図。
【符号の説明】
【００３５】
１  絵本
２  ページシート
２ａ  印刷紙
２ｂ  台紙
３  キャラクタ
４  プレート
５  凹所
６  切り欠き
７  覗き窓
８  持ち手
９  通孔
１０  表紙
【図１】
2010012706.tif 000003
【図２】
2010012706.tif 000004
【図３】
2010012706.tif 000005
【図４】
2010012706.tif 000006
【図５】
2010012706.tif 000007
【図６】
2010012706.tif 000008